(57)【要約】【課題】  カードが挿入されていないときにエジェクトバーが操作されても、放熱板がカードに対して離間する位置に保持され、コネクタへのカード挿入に際してカードと放熱板との干渉を回避できるカードコネクタを提供する。【解決手段】  カードＣがコネクタ本体３に挿入されてカードＣの接触子Ｃ１が上記本体３の端子部２に接続されるとき、カードＣを上昇させて放熱板４に圧接させると共にエジェクトバー５をカードＣの排出方向Ｙに移動させてセット位置に位置付け、セット位置のエジェクトバー５をカードＣの挿入方向Ｘに押し込んでエジェクト位置に位置付けてカードＣを上記本体３から排出するとき、カードＣを下降させて放熱板４から離間させる連動手段６を有し、この連動手段６は、カード排出時に、エジェクト位置にあるエジェクトバー５をセット位置の方向に引き出しても、上記カードＣと放熱板４の離間状態を保持し得る離間保持機能を有する。【選択図】  図２
2007080580.tif 000002
【特許請求の範囲】
【請求項１】
カードが挿入されてカードの接触子が接続される端子部を有するコネクタ本体と、該本体に挿入されたカードの一側面に対向するように配置された放熱板と、同カードを排出するためにカードの挿入・排出方向にスライド可能に設けられたエジェクトバーとを備えたカードコネクタであって、
カードが上記本体に挿入されてカードの接触子が上記本体の端子部に接続されるとき、上記放熱板を下降させる又は上記カードを上昇させることで両者を圧接すると共に上記エジェクトバーをカードの排出方向に移動させてセット位置に位置付け、後にセット位置のエジェクトバーをカードの挿入方向に押し込んでエジェクト位置に位置付けてカードを上記本体から排出せんとするとき、上記放熱板を上昇させる又は上記カードを下降させることで両者を離間する連動手段を有し、
該連動手段は、一旦エジェクト位置に押し込まれたエジェクトバーがセット位置の方向に引っ張られても、上記コネクタ本体に挿入されるカードを下降位置とする状態又は上記放熱板を上昇位置とする状態を保持することで両者を離間させる離間保持機能を有することを特徴とするカードコネクタ。
【請求項２】
上記連動手段は、上記コネクタ本体に対しカードの挿入・排出方向に移動可能に取り付けられたスライダと、該スライダがカードの挿入方向に移動されたとき上記本体に挿入されたカードを上昇させる又は上記放熱板を下降させることで両者を圧接し、上記スライダがカードの排出方向に移動されたとき上記カードを下降させる又は上記放熱板を上昇させることで両者を離間する圧接離間機構と、上記スライダに設けられカードと係合して上記スライダをカードの挿入方向に移動させるための係合部と、上記スライダと上記エジェクトバーとの間に介設されたリンク機構とを備え、
該リンク機構は、上記スライダがカード挿入方向に移動されたとき上記エジェクトバーをカード排出方向に移動させてセット位置に位置付け、後にそのセット位置のエジェクトバーがカード挿入方向に押し込まれてエジェクト位置に移動されたとき上記スライダをカード排出方向に押し戻すことができ、更に、エジェクト位置のエジェクトバーがセット位置の方向に引っ張られても上記スライダとの係合が解かれてスライダを移動させないものである請求項１記載のカードコネクタ。
【請求項３】
上記リンク機構は、上記スライダにカード挿入方向の前方側から当接する当接部を有し、上記エジェクトバーがセット位置からカード挿入方向に押し込まれてエジェクト位置に移動されたとき上記当接部が上記スライダをカード排出方向に押圧して移動させることができ、且つエジェクト位置のエジェクトバーがセット位置の方向に引っ張られても上記当接部が上記スライダから離間するものである請求項２記載のカードコネクタ。
【発明の詳細な説明】
【技術分野】
【０００１】
本発明は、ＰＣカード等のカードが挿入されて接続されるカードコネクタに係り、特に、挿入されたカードから発生した熱を放出するための放熱板を備えたカードコネクタに関する。
【背景技術】
【０００２】
ノート型のパーソナルコンピュータ（以下パソコン）等には、その機能を拡張するため、ＰＣカードが挿抜されるカードスロットが設けられているものが多くあり、そのスロットにはＰＣカードと接続されるカードコネクタが配置されている。
【０００３】
ＰＣカード（以下カード）は、例えばＬＳＩ、ＩＣ等の電子部品を実装した基板の周囲を、合成樹脂等の非電導材で覆ってカード状に成すと共に（或いはその周囲を更にアルミ等の薄い金属板で覆うこともある）、その先端部に接触子が設けられている。そして、このカードをパソコン等のカードスロットに挿入して、そのカードの接触子をカードコネクタの端子部に接続するようになっている。
【０００４】
この種のカードにあっては、その作動中、ＩＣ等からの発熱により、カードそのものの温度が高くなり、誤作動を引き起こしたり、故障すると言った問題があり、これが更なる回路の高集積化への阻害要因にもなっている。このため、効率的にカードの熱を外部に放出できる技術の開発が望まれている。
【０００５】
従来、カードの熱を放熱するための放熱板を備えたカードコネクタとして、カードが挿入可能に形成されると共にカードの接触子が接続される端子部を有するコネクタ本体と、該本体にカードが挿入されたときそのカードの一側面に対向するように配置された放熱板と、上記本体に挿入されたカードを排出するために上記本体にカードの挿入・排出方向にスライド可能に取り付けられたエジェクトバーとを備えたカードコネクタが知られている（特許文献１）。
【０００６】
このカードコネクタは、コネクタ本体にカードが挿入されてカードの接触子がコネクタ本体の端子部に接続されるとき、放熱板が下降されてカードに圧接されると共にエジェクトバーがカードの排出方向に移動されてセット位置とされ、セット位置のエジェクトバーをカードの挿入方向に押し込んでエジェクト位置としてカードをコネクタ本体から排出するときには、放熱板が上昇されてカードから離間されるようになっている。
【０００７】
これにより、カードがコネクタ本体に挿入され、そのカードの接触子がコネクタ本体の端子部に接続される前は、放熱板がカードと干渉しない位置まで上昇されているので、カードを容易にスムーズに挿入できる。そして、更に挿入が進んでカードが奥に突き当たり、カードの接触子がコネクタ本体の端子部に接続されるときには、放熱板が下降されてカードに圧接されるので、良好な放熱性を発揮できる。
【０００８】
【特許文献１】特開２００５−１１６５６４号公報
【発明の開示】
【発明が解決しようとする課題】
【０００９】
上述のカードコネクタにおいては、エジェクトバーにカム山が、放熱板にカムフォロアが設けられていて、エジェクトバーがカード挿入方向に押し込まれてエジェクト位置に移動されたときカムフォロアがカム山に乗り上がって放熱板がカードから離間する位置に上昇し、エジェクトバーがカード排出方向に移動されてセット位置に移動されたときにはカムフォロアがカム山から滑り降りて放熱板がカードに圧接する位置に下降するようになっている。すなわち、エジェクトバーの移動位置に応じて放熱板が昇降するようになっている。
【００１０】
このため、エジェクトバーをエジェクト位置に押し込んでカードを排出した後、そのエジェクトバーが誤って又は悪戯的に操作されて前方（セット位置の方向）に引き出された場合、カードが排出されている状態で放熱板が下降してしまう。そして、このように放熱板が下降していることは、カードコネクタが内蔵されたパソコンの外部からは見えない。このため、かかるカードコネクタにカードを挿入しようとすると、カードが下降している放熱板に衝突してカードの接触子が損傷したり、カードが放熱板の下面に貼付された伝熱シートを剥離させてしまうという問題が生じ得る。
【００１１】
以上の事情を考慮して創案された本発明の目的は、カードが挿入されていないときにエジェクトバーが操作されても、放熱板がカードに対して離間する位置に保持され、カードと放熱板との干渉を回避できるカードコネクタを提供することにある。
【課題を解決するための手段】
【００１２】
上記目的を達成するために本発明は、カードが挿入されてそのカードの接触子が接続される端子部を有するコネクタ本体と、該本体に挿入されたカードの一側面に対向するように配置された放熱板と、上記本体に挿入されたカードを排出するためにカードの挿入・排出方向にスライド可能に設けられたエジェクトバーとを備えたカードコネクタであって、カードが上記本体に挿入されてカードの接触子が上記本体の端子部に接続されるとき、上記放熱板を下降させる又は上記カードを上昇させることで両者を圧接すると共に上記エジェクトバーをカードの排出方向に移動させてセット位置とし、セット位置のエジェクトバーをカードの挿入方向に押し込んでエジェクト位置としてカードを上記本体から排出するとき、上記放熱板を上昇させる又は上記カードを下降させることで両者を離間する連動手段を有し、該連動手段は、一旦エジェクト位置に押し込まれたエジェクトバーがセット位置の方向に引っ張られても、上記コネクタ本体に挿入されるカードを下降位置とする状態又は上記放熱板を上昇位置とする状態を保持することで両者を離間させる離間保持機能を有するものである。
【００１３】
上記連動手段は、上記コネクタ本体に対しカードの挿入・排出方向に移動可能に取り付けられたスライダと、該スライダがカードの挿入方向に移動されたとき上記本体に挿入されたカードを上昇させる又は上記放熱板を下降させることで両者を圧接し、上記スライダがカードの排出方向に移動されたとき上記カードを下降させる又は上記放熱板を上昇させることで両者を離間する圧接離間機構と、上記スライダに設けられカードと係合して上記スライダをカードの挿入方向に移動させるための係合部と、上記スライダと上記エジェクトバーとの間に介設されたリンク機構とを備え、該リンク機構は、上記スライダがカード挿入方向に移動されたとき上記エジェクトバーをカード排出方向に移動させてセット位置とし、そのセット位置のエジェクトバーがカード挿入方向に押し込まれてエジェクト位置に移動されたとき上記スライダをカード排出方向に押し出し、エジェクト位置のエジェクトバーがセット位置の方向に引っ張られたとき上記スライダから切り離されてスライダを移動させないものである。
【００１４】
上記リンク機構は、上記スライダにカード挿入方向の前方側から当接する当接部を有し、上記エジェクトバーがセット位置からカード挿入方向に押し込まれてエジェクト位置に移動されたとき上記当接部が上記スライダをカード排出方向に押圧して移動させ、エジェクト位置のエジェクトバーがセット位置の方向に引っ張られたとき上記当接部が上記スライダから離間するものである。
【発明の効果】
【００１５】
本発明に係るカードコネクタによれば、カードが挿入されていないときにエジェクトバーが操作されても、コネクタ本体に挿入されるカードと放熱板とが離間される状態に保持されるので、爾後、上記本体にカードを挿入するとき、カードと放熱板との干渉を回避できる。
【発明を実施するための最良の形態】
【００１６】
本発明の好適実施形態を添付図面に基づいて説明する。
【００１７】
図１〜図８に示すように、本実施形態に係るカードコネクタ１は、ノートパソコン等に装備されるもので、その概要を説明すると、カードＣ（ＰＣカード等）が挿入可能に形成されると共にカードＣの接触子Ｃ１（図４）が接続される端子部２を有するコネクタ本体３と、該本体３にカードＣが挿入されたときそのカードＣの一側面（上面Ｃ２）に対向するように配置された放熱板４と、上記本体３に挿入されたカードＣを排出するためにカードＣの挿入方向Ｘ及び排出方向Ｙにスライド可能に設けられたエジェクトバー５とを備えている。
【００１８】
エジェクトバー５と、放熱板４と、カードＣとの夫々の位置関係は、連動手段６によって、次のように連動されるようになっている。すなわち、連動手段６は、カードＣがコネクタ本体３に挿入されてカードＣの接触子Ｃ１（図４）が上記本体３の端子部２に接続されるとき、カードＣを上昇させて放熱板４に圧接（図８）させると共にエジェクトバー５をカードＣの排出方向Ｙに移動させてセット位置（図６）に位置付け、後にセット位置のエジェクトバー５をカードＣの挿入方向Ｘに押し込んでエジェクト位置（図５）としてカードＣをコネクタ本体３から排出せんとするとき、カードＣを下降させて放熱板４から離間（図７）させるものである。
【００１９】
かかる連動手段６によれば、コネクタ本体３に挿入されたカードＣが奥に突き当たってカードＣの接触子Ｃ１がコネクタ本体３の端子部２に接続されるとき、カードＣが上昇されて放熱板４に圧接（図８）されるので、カードＣの熱を放熱板４に効率よく伝達できる。そして後に、カードＣを奥まで挿入することでカード排出方向Ｙのセット位置（図６）に突出されたエジェクトバー５を、カード挿入方向Ｘに押し込んでエジェクト位置（図５）まで移動させてカードＣをコネクタ本体３から排出せんとすると、カードＣが下降されて放熱板４から離間（図７）されるので、カードＣをスムーズに抜去できる。
【００２０】
また、連動手段６は、エジェクト位置（図５）に押し込まれてカードＣを排出した後のエジェクトバー５が、セット位置（図６）の方向に引っ張られても、カードＣが載置されるスライダ１２を、放熱板４から所定距離（スライダ１２にカードＣを載置したときそのカードＣが放熱板４と接触しない距離）離間した状態に保持する離間保持機能を有する。これにより、カード排出後、エジェクト位置（図５）のエジェクトバー５が誤って又は悪戯的にセット位置（図６）の方向に引っ張られても、スライダ１２が放熱板４から所定距離離間される状態（図７）に保持されるので、爾後、コネクタ本体３にカードＣを挿入する際、それが放熱板４と干渉することを回避できる。
【００２１】
以下、本実施形態に係るカードコネクタ１について、前記連動手段６及びその離間保持機能を中心に説明する。
【００２２】
図１及び図２に示すように、カードコネクタ１は、図示しない回路基板に装着される一対の装着部材８を有する。各装着部材８は、カードＣの挿入・排出方向Ｘ、Ｙに沿って細長く形成された略断面Ｌ字状の部材（金属製）からなり、カードコネクタ１を回路基板に装着するための固定部材としての機能を有する。
【００２３】
また、カードコネクタ１は、カードＣが挿入されるコネクタ本体３を有する。コネクタ本体３は、装着部材８のカード挿入方向Ｘの前端側に配置された端子ブロック３ａ（樹脂製）と、端子ブロック３ａに接続されカード排出方向Ｙに延出された支持プレート１５（金属製）とを備える。端子ブロック３ａには、カードＣの先端部に設けられた接触子Ｃ１（図４）が接続される端子部２が設けられていると共に、カードＣの幅方向両端部を案内するガイド凹部９が形成されている。かかるコネクタ本体３は、装着部材８に対し、後述するように上下方向移動可能にフローティング支持されている。
【００２４】
図２に示すように、各装着部材８の上縁には、放熱板４を固定するための金具１０が設けられており、この金具１０にネジ等によって放熱板４が固定されている。放熱板４は、図１及び図３に示すように、平板状のベース部４ａと、ベース部４ａの上面にカード挿入方向Ｘに間隔を隔てて設けられた複数のフィン部４ｂとを有し、アルミ・ダイキャスト等によって製造されている。なお、フィン部４ｂは、カード挿入方向Ｘに平行に配置されていてもよい。
【００２５】
放熱板４の下面には、図示しない伝熱シートが接着等によって装着されている。伝熱シートは、コネクタ本体３に挿入されたカードＣが上昇されてその上面Ｃ２が放熱板４の下面に押し付けられたとき、カードＣの上面と面接触することで、カードＣの熱を効率よく放熱板４に伝達するためのものであり、その表層は柔らかで密着性を有している。
【００２６】
図２及び図５に示すように、左側の装着部材８には、コネクタ本体３に挿入・接続されたカードＣを排出するためのエジェクトバー５が、カードＣの挿入・排出方向Ｘ、Ｙにスライド可能に取り付けられている。詳しくは、コネクタ本体３の左側の装着部材８のカード幅方向外側には、カードＣの挿入・排出方向Ｘ、Ｙに間隔を隔ててリブ１１が設けられており、これらリブ１１に形成された穴（スリット）に細長い板状のエジェクトバー５（金属製）が挿通されている。エジェクトバー５の先端部には、このバー５を操作するための操作釦５ａが取り付けられている。
【００２７】
カードＣが挿入され、カードＣの接触子Ｃ１がコネクタ本体３の端子部２に接続されるとき、前述した連動手段６によって、カードＣが上昇されて放熱板４に圧接（図８）される。同時に、エジェクトバー５がカード排出方向Ｙに移動されてセット位置（図６）とされる。その後、セット位置のエジェクトバー５をカード挿入方向Ｘに押し込んでエジェクト位置（図５）としてカードＣを上記本体３から排出せんとするとき、前記連動手段６によって、カードＣが下降されて放熱板４から離間（図７）される。
【００２８】
かかる連動手段６は、図２に示すように、コネクタ本体３に対しカードＣの挿入・排出方向Ｘ、Ｙに移動可能であると共にカードＣが載置されるようにトレイ状に形成されたスライダ１２と、スライダ１２がカード挿入方向Ｘに移動されたときスライダ１２を上昇させてその上に載置されたカードＣを放熱板４に圧接し、スライダ１２がカード排出方向Ｙに移動されたときスライダ１２を下降させて上記カードＣを放熱板４から離間させるための圧接離間機構３７と、スライダ１２に設けられカードＣの前端部と当接してスライダ１２をカード挿入方向Ｘに移動させるための係合部１３（図４）と、スライダ１２とエジェクトバー５との間に介設されたリンク機構１４（図２、図５）とを備えている。
【００２９】
係合部１３は、スライダ１２の前端部の幅方向の両端部に夫々設けられており、カードＣの前端部の幅方向両端部が夫々当接するようになっている。係合部１３は、スライダ１２を成す金属板の一部を上方に屈曲することによって形成されている。また、スライダ１２の幅方向両端部には、コネクタ本体３に挿入されるカードＣの幅方向両端部を案内するためのガイドリブ１８が、カード挿入方向Ｘに間隔を隔てて複数設けられている。
【００３０】
圧接離間機構３７は、図１〜図３に示すように、スライダ１２を下方から支持すると共に装着部材８に昇降可能に取り付けられた支持プレート１５と、支持プレート１５を上昇方向に付勢するバネ１６と、スライダ１２と装着部材８との間に介設され、スライダ１２がカード排出方向Ｙに移動したときバネ１６の付勢力に抗してスライダ１２を押し下げ、スライダ１２がカード挿入方向Ｘに移動したときスライダ１２をバネ１６の付勢力に任せて上昇させるためのガイド機構１７とを備えている。
【００３１】
ガイド機構１７は、図３に示すように、装着部材８にカード挿入方向Ｘに沿って形成された横溝２２ａと該横溝２２ａの挿入方向前端部から上方に形成された縦溝２２ｂとから形成された案内溝２２と、スライダ１２に幅方向外方に延出するように設けられ案内溝２２に挿通された係合ピン２３と、係合ピン２３をスライダ１２の移動に伴って案内溝２２に沿って移動させるためのカム板２４とから構成されている。
【００３２】
カム板２４は、図２及び図３に示すように、細長い金属板から成り、左右の装着部材８に、カード挿入・排出方向Ｘ、Ｙにスライド可能に金具２５により装着されている。カム板２４には、装着部材８の案内溝２２の位置に対応させて、カム山２６が形成されている。カム山２６には、図９にも示すように、案内溝２２に挿通された係合ピン２３が当接されるようになっている。カム山２６は、図１０に示すように、カード挿入方向Ｘに沿って徐々に下方への揚程が大きくなるように形成された斜面部２６ａと、斜面部２６ａの最大揚程部に繋げて下方に直線的に延出して形成されたストッパ部２６ｂとから成っている。
【００３３】
これにより、カードＣの前端部がスライダ１２の係合部１３に当接してスライダ１２がカード挿入方向Ｘに移動すると、スライダ１２に設けられた係合ピン２３が図１０に示すようにガイド溝２２の横溝２２ａに案内されてカード挿入方向Ｘに移動し、係合ピン２３がカム山２６のストッパ部２６ｂを押圧してカム板２４が同方向Ｘに移動される。このとき、支持プレート１５と共にスライダ１２を上昇させようとするバネ１６の付勢力は、図１０に示すように係合ピン２３が横溝２２ａの上縁に押し付けられることによって支持されるので、図７に示すようにプレート１５が下降されたままとなって、スライダ１２に載せられたカードＣが放熱板４から離間された状態となり、カードＣのスムーズな挿入を実現できる。
【００３４】
カードＣが更に奥まで押し込まれて、カードＣの接触子Ｃ１とコネクタ本体３の端子部２との接続が完了するとき、スライダ１２に設けられた係合ピン２３が図１１に示すようにガイド溝２２の縦溝２２ｂに至る。すると、図８に示すように、スライダ１２が支持プレート１５と共にバネ１６の付勢力によって上昇され、スライダ１２に載せられたカードＣが放熱板４に圧接される。これにより、カードＣの熱は放熱板４から放出されることになる。
【００３５】
上記バネ１６、支持プレート１５について説明する。図２及び図３に示すように、支持プレート１５の略四隅には、幅方向外方に延出されたリブ１９が形成されており、これらリブ１９が図７に示すように装着部材８に開口された穴２０に、上下方向に移動可能に挿通されている。そして、穴２０を挿通したリブ１９と装着部材８の上縁に設けられた支持金具２１との間に、支持プレート１５を上方に引き上げるように付勢するバネ１６が設けられている。これにより、支持プレート１５及びこれに固定されたコネクタ本体３が、装着部材８に対して上下方向に移動可能にフローティング支持されると共に、バネ１６によって常時上方に引き上げられるように付勢される。よって、支持プレート１５の上に載置されたスライダ１２も、常時上方に引き上げ付勢される。
【００３６】
このようにバネ１６によって常時上方に引き上げ付勢されるスライダ１２は、ガイド機構１７によって、スライダ１２がカード排出方向Ｙに移動されたときバネ１６の付勢力に抗して引き下げられ、スライダ１２がカード挿入方向Ｘに移動されたときバネ１６の付勢力に任せて上昇される。
【００３７】
図２に示すように、スライダ１２に設けられた係合部１３とエジェクトバー５との間には、リンク機構１４が介設されている。リンク機構１４は、スライダ１２がカード挿入方向Ｘに移動されたときエジェクトバー５をカード排出方向Ｙに移動させてセット位置（図６）に位置付け、そのセット位置のエジェクトバー５がカード挿入方向Ｘに押し込まれてエジェクト位置（図５）に移動されたときスライダ１２をカード排出方向Ｙに押し出し、また万が一、エジェクト位置のエジェクトバー５がセット位置の方向に引っ張られたような場合にスライダ１２の係合部１３との係合を解かれてスライダ１２を移動させないようにするものである。
【００３８】
すなわち、リンク機構１４は、図２及び図４に示すように、スライダ１２の係合部１３に当接し得る当接部２７を有し、エジェクトバー５がセット位置（図６）からカード挿入方向Ｘに押し込まれてエジェクト位置（図５）に移動されたとき当接部２７が上記係合部１３をカード排出方向Ｙに押し戻し、また万が一、エジェクト位置（図５）のエジェクトバー５がセット位置（図６）の方向に引っ張られたような場合に当接部２７が同係合部１３から離間するようになっている。
【００３９】
具体的には、リンク機構１４は、図２及び図５に示すように、コネクタ本体３の上面に第１軸２８の廻りに回動可能に取り付けられた第１レバー２９と、コネクタ本体３の上面に第１軸２８から偏芯された第２軸３０の廻りに回動可能に取り付けられた第２レバー３１とを有する。
【００４０】
第１レバー２９は、その一端部が、エジェクトバー５の先端部に形成された係合穴３２に遊嵌・挿通され、他端部に右側のカム板２４と当接するカム板押圧部３３が形成され、カム板押圧部３３と第１軸２８との間の部分に、スライダ１２の係合部１３と当接する当接部２７が形成されている。カム板押圧部３３及び当接部２７は、第１レバー２９を成す金属板の一部を下方に屈曲することで形成されている。
【００４１】
第２レバー３１は、その一端部に、第１レバー２９に形成された係合穴３４に遊嵌・挿通される挿通部３５が形成され、他端部に左側のカム板２４と当接するカム板押圧部３６が形成され、カム板押圧部３６と第２軸３０との間の部分に、スライダ１２の係合部１３と当接する当接部２７が形成されている。係合穴３４は、第１軸２８と第２軸３０との間に形成されており、カム板押圧部３６及び当接部２７は、第１レバー２９で説明したものと同様に形成されている。
【００４２】
以上のリンク機構１４によれば、図４に示すカードＣの先端部の接触子Ｃ１（ピン）がコネクタ本体３の端子部２（穴）に挿入される所まで進行すると、カードＣの前端部がスライダ１２の係合部１３に当接し、接触子Ｃ１が端子部２に挿入されるに応じて係合部１３がカード挿入方向Ｘに押圧移動され、係合部１３に当接する第１レバー２９の当接部２７及び第２レバー３１の当接部２７が同方向に押圧され、図６に示すように、第１レバー２９が反時計回りに第２レバー３１が時計回りに夫々回動され、エジェクトバー５がカード排出方向Ｙにスライドし、セット位置に移動される。
【００４３】
カードＣの先端部がスライダ１２の係合部１３に当接した以降、カードＣの押し込みに伴ってスライダ１２がカード挿入方向Ｘに移動されることになるが、このスライダ１２の移動に伴って、スライダ１２に設けられた係合ピン２３が、図１０に示すように、ガイド溝２２の横溝２２ａに案内されて移動してカム山２６のストッパ部２６ｂを押圧し、左右のカム板２４がカード挿入方向Ｘに移動される。これにより、左右のカム板２４の前端部が、第１レバー２９のカム板押圧部３３と、第２レバー３１のカム板押圧部３６とに当接した状態となり、またスライダ１２がカード挿入方向Ｘに所定距離前進することで、図１１に示すように、係合ピン２３がガイド溝２２の縦溝２２ｂに至り縦溝２２ｂに沿ってバネ１６（図８）の力によって上昇する。これにより、係合ピン２３が設けられた支持プレート１５が上昇し、支持プレート１５に載置されたスライダ１２が上昇し、スライダ１２に載せられたカードＣが放熱板４に圧接される。よって、カードＣの熱が放熱板４を介して放出できる。
【００４４】
その後、カードＣを抜去するために、図６に示すようにセット位置にあるエジェクトバー５をカード挿入方向Ｘに押し込んで図５に示すエジェクト位置まで移動させると、第１レバー２９が時計回りに第２レバー３１が反時計回りに各々回動し、各レバー２９、３１の当接部２７、２７がスライダ１２の係合部１３、１３をカード排出方向Ｙに押圧し、同係合部１３がカードＣの前端部を同方向に押し戻すので、カードＣの接触子Ｃ１がコネクタ本体３の端子部２から引き抜かれ、カードＣが排出される。
【００４５】
このとき、第１レバー２９及び第２レバー３１が上述のようにカード挿入時とは夫々逆回りに回動するので、第１レバー２９のカム板押圧部３３が右側のカム板２４を、第２レバー３１のカム板押圧部３６が左側のカム板２４を、各々カード排出方向Ｙに押圧することになり、両カム板２４、２４が同方向に同時に同量移動される。すると、図１２に示すように、縦溝２２ｂの上端部に係合されていた係合ピン２３が、カム山２６の斜面部２６ａに押されてバネ１６（図８）の付勢力に抗して下降され、横溝２２ａに至る。これに伴い、係合ピン２３が設けられたスライダ１２が下降されることになり、スライダ１２に載置されたカードＣが放熱板４から離間される。よって、カードＣの排出が、スムーズにできる。
【００４６】
カード排出後（必ずしもカードＣを完全に抜き去らなくてもよく、例えば半挿入状態でカードＣが残存していてもよい）、図５のエジェクト位置にあるエジェクトバー５を前方（図６のセット位置の方向）に引っ張ったような場合、第１レバー２９が反時計回りに第２レバー３１が時計回りに夫々回動し、各々の当接部２７がカード挿入方向Ｘに移動してスライダ１２の係合部１３から離間する。このように、万が一、カード排出後にエジェクトバー５を引っ張り操作しても、各レバー２９、３１の当接部２７がスライダ１２の係合部１３から離間するのみでスライダ１２が移動しないため、スライダ１２の移動によって作動される圧接離間機構３７が作動されず、スライダ１２は下がったままの状態となっている。
【００４７】
このように、カードＣが挿入されていないときにエジェクトバー５が操作されても、スライダ１２が下がったままなので、爾後、コネクタ本体３にカードＣを挿入するとき、スライダ１２上に載置されるカードＣと放熱板４との間には十分な挿入クリアランスが確保されており、カードＣの端子部Ｃ１の損傷、放熱板４の伝熱シートの剥離等を防止できる。
【００４８】
本発明の別の実施形態を図１３〜図１７を用いて説明する。
【００４９】
本実施形態のカードコネクタ５０は、前実施形態のカードコネクタ１のようにカードＣが載置されるスライダ１２を昇降させてカードＣを放熱板４に圧接離間させるのではなく、放熱板５１を昇降させてカードＣに圧接離間させるようにしたものである。
【００５０】
図１３〜図１５に示すように、本実施形態に係るカードコネクタ５０は、カードＣが挿入可能に形成されると共にカードＣの接触子Ｃ３が接続される端子部７８を有するコネクタ本体５２と、該本体５２にカードＣが挿入されたときそのカードＣの一側面Ｃ２（上面）に対向するように配置された放熱板５１と、上記本体５２に挿入されたカードＣを排出するためにカードＣの挿入方向Ｘ、排出方向Ｙにスライド可能に設けられたエジェクトバー５３とを備えている。
【００５１】
エジェクトバー５３と、放熱板５１と、カードＣとの夫々の位置関係は、連動手段５４によって、次のように連動されるようになっている。すなわち、連動手段５４は、カードＣがコネクタ本体５２に挿入されてカードＣの接触子Ｃ３が上記本体５２の端子部７８に接続されるとき、図１７に示すように放熱板５１を下降させてカードＣに圧接させると共にエジェクトバー５３をカード排出方向Ｙに移動させてセット位置に位置付け、またセット位置のエジェクトバー５３をカード挿入方向Ｘに押し込んで図１６に示すエジェクト位置に位置付けてカードＣをコネクタ本体５２から排出する際には、放熱板５１を上昇させてカードＣから離間させるものである。
【００５２】
かかる連動手段５４によれば、コネクタ本体５２に挿入されたカードＣが奥に突き当たってカードＣの接触子Ｃ３がコネクタ本体５２の端子部７８に接続されるとき、図１７に示すように放熱板５１が下降されてカードＣに圧接されるので、カードＣの熱を放熱板５１から放出できる。そして、カードＣを奥まで挿入することでカード排出方向Ｙのセット位置に突出されたエジェクトバー５３を、図１６に示すようにカード挿入方向Ｘに押し込んでエジェクト位置まで移動させてカードＣをコネクタ本体５２から排出するとき、放熱板５１が上昇されてカードＣから離間されるので、カードＣをスムーズに排出できる。
【００５３】
また、連動手段５４は、図１６に示すようにエジェクト位置に押し込まれてカードＣを排出した後のエジェクトバーをセット位置の方向に引っ張った如き場合でも、放熱板５１を上昇状態に保持する離間保持機能を有するので、カード排出後、エジェクト位置のエジェクトバー５３が誤って又は悪戯的にセット位置の方向に引っ張られたとしても、放熱板５１降下することはなく、爾後、コネクタ本体３に挿入されるカードＣが、放熱板５１と干渉するようなことが生じない。
【００５４】
以下、本実施形態に係るカードコネクタ５０について、前記連動手段５４及びその離間保持機能を中心に説明する。
【００５５】
図１３及び図１４に示すように、カードコネクタ５０は、図示しない回路基板に装着されるコネクタ本体５２を有する。コネクタ本体５２は、カードＣの接触子Ｃ３が接続される端子部７８を備えた端子ブロック５５（樹脂製）と、端子ブロック５５の幅方向両端部に夫々取り付けられたカードレール５６（樹脂製）とを有する。カードレール５６は、端子ブロック５５からカード排出方向Ｙに延出されており、カードＣを挿入・排出方向Ｘ、Ｙに沿って案内するための断面コ字状のガイド溝５７を有する。カードＣがカードレール５６のガイド溝５７に沿って挿入されると、カードＣの先端部にその幅方向に間隔を隔てて設けられた複数の接触子Ｃ３（接続穴）が、端子ブロック５５の端子部７８（接続ピン）に夫々接続されるようになっている。
【００５６】
カードレール５６には、放熱板５１が昇降可能に取り付けられている。放熱板５１は、カードＣの上面Ｃ２に接触してカードＣの熱を外部に放出するためのものであり、図１３及び図１６に示すように、平板状のベース部５１ａと、ベース部５１ａの上面にカード挿入方向Ｘに間隔を隔てて設けられた複数の放熱フィン５１ｂとを有し、アルミ・ダイキャスト等によって製造されている。なお、放熱フィン５１ｂは、カード挿入方向Ｘに対して平行に配されていても良い。
【００５７】
放熱板５１は、その下面（カード上面Ｃ２に対向する面）に接着された図示しない伝熱シートを備えている。伝熱シートは、放熱板５１の下面に接着等によって装着され、放熱板５１が下降されてカード上面Ｃ２に押し付けられるとき面接触することで、カードＣの熱を効率よく放熱板５１に伝達するものであり、その表層は柔らかで密着性を有している。
【００５８】
放熱板５１は、カードレール５７にホルダ５８を介して取り付けられており、このホルダ５８によってカードＣの上面Ｃ２に対する直交方向に所定範囲で移動可能に保持されている。ホルダ５８は、細長い略長方形状の金属板をコ字状に折り曲げて成り、その中央部５８ａが放熱板５１の上面の放熱フィン５１ｂの間の部分に丁度嵌るように配置され、両端部５８ｂがカードレール５６に圧入等によって固定されている。これにより、放熱板５１がカード挿入・排出方向Ｘ、Ｙに移動することが防止される。
【００５９】
また、ホルダ５８の中央部５８ａと両端部５８ｂとを繋ぐ折曲部分には、その一部が内側に切り起こされてガイド部５９が形成されている。ガイド部５９は、放熱板５１の幅方向の端面に当接すると共にカードレール５７側に延出されており、放熱板５１をカードＣの幅方向にずれないように保持しつつ、放熱板５１を上下方向に案内をする。ホルダ５８は、カード挿入方向Ｘに間隔を隔てて複数（図例では二個）配置されている。放熱板５１をカード挿入方向Ｘに傾斜させることなく安定して水平に保持するためである。
【００６０】
ホルダ５８には、放熱板５１を下方に付勢するためのバネ６０が設けられている。バネ６０は、図１３及び図１６に示すように、ホルダ５８の中央部５８ａに設けられた底空き天井付き筒体６１の内部に、下端が放熱板５１の上面に当接され、上端が筒体６１の天井部に当接されて圧縮状態で収容されており、放熱板５１をカード上面Ｃ２に押し付ける方向に付勢するものである。バネ６０は、各ホルダ５８の中央部５８ａに、カードＣの幅方向に間隔を隔てて複数（図例では二個ずつ）配置されている。放熱板５１をカードＣの幅方向に傾斜させることなく安定して水平にカード上面Ｃ２に押し付けるためである。
【００６１】
図１４に示すように、左側のカードレール５６には、コネクタ本体５２に挿入・接続されたカードＣを排出するためのエジェクトバー５３が、カード挿入・排出方向Ｘ、Ｙにスライド可能に取り付けられている。詳しくは、エジェクトバー５３は、左側のカードレール５６に設けられたバーケース６２（樹脂製）に形成されたガイド穴にスライド可能に挿入されており、カード挿入・排出方向Ｘ、Ｙに移動可能となっている。エジェクトバー５３の端部には該バー５３をカード挿入方向Ｘに押圧する際の操作釦５３ａが取り付けられている。
【００６２】
コネクタ本体５２にカードＣが挿入され、カードＣの接触子Ｃ３がコネクタ本体５２の端子部７８に接続されるとき、前述した連動手段５４によって、図１７に示すように放熱板５１が下降されてカードＣに圧接される。同時に、エジェクトバー５３がカード排出方向Ｙに移動されてセット位置とされる。その後、セット位置のエジェクトバー５３を図１６に示すようにカード挿入方向Ｘに押し込んでエジェクト位置としてカードＣをコネクタ本体５２から排出するとき、前記連動手段５４によって、放熱板５１が上昇されてカードＣから離間される。
【００６３】
かかる連動手段５４は、図１４に示すように、コネクタ本体５２の左右のカードレール５６にカード挿入・排出方向Ｘ、Ｙに移動可能に夫々装着されたスライダ６３と、スライダ６３がカード挿入方向Ｘに移動されたとき放熱板５１を下降させて本体５２に挿入されたカードＣに圧接し、スライダ６３がカード排出方向Ｙに移動されたとき放熱板５１を上昇させて上記カードＣから離間させるための圧接離間機構６４と、スライダ６３に設けられカードＣの前端部と当接してスライダ６３をカード挿入方向Ｘに移動させるための係合部６５（図１５）と、スライダ６３とエジェクトバー５３との間に介設されたリンク機構６６（図１４）とから成る。
【００６４】
スライダ６３は、図１４に示すように、各カードレール５６にカード挿入・排出方向Ｘ、Ｙに沿って形成されたガイド溝６７にスライド可能に遊嵌された縦材６３ａと、縦材６３ａの先端から一旦上方に延出された後にカードレール５６を避けるようにしてカードＣの幅方向内側に屈曲された横材６３ｂとを有し、金属板をプレス成形する等して製造されている。横材６３ｂの端部には、カードＣの先端部が当接され得る係合部６５が、横材６３ｂを成す金属板を下方に屈曲することで形成されている。コネクタ本体５２に挿入されたカードＣの先端部が係合部６５に当接すると、以降、スライダ６３（横材６３ｂ＋縦材６３ａ）がカードＣと一体的にカード挿入方向Ｘに移動されることになる（図１５）。
【００６５】
スライダ６３がカード挿入方向Ｘに移動すると、放熱板５１が圧接離間機構６４によって下降されてカードＣに圧接し、スライダ６３がカード排出方向Ｙに移動すると、放熱板５１が圧接離間機構６４によって上昇されてカードＣから離間するようになっている。圧接離間機構６４は、図１３及び図１４に示すように、スライダ６３の縦材６３ａに形成されたカム山６８と、放熱板５１の下面にカム山６８の位置に対応させて装着されたカムフォロア６９とから成る。カム山６８は、図１６にも示すように、側方から見て台形状に形成されており、カード挿入方向Ｘに沿って徐々に上方への揚程が大きくなるように形成された斜面部６８ａを有する。カムフォロア６９は、放熱板５１の下面に装備されたクロスバーから成り、クロスバーは、放熱板５１の下面に、カードＣの幅方向に沿って形成された溝７０に嵌め込まれている。
【００６６】
このような圧接離間機構６４によれば、スライダ６３が図１６に示すようにカード排出方向Ｙに移動されると、スライダ６３のカム山６８に放熱板５１のカムフォロア６９が乗り上がり、放熱板５１が上昇された状態となる。よって、放熱板５１がコネクタ本体５２に挿入されるカードＣから離間した状態となり、そのスムーズな取り出しと、爾後のカードＣの再挿入のための適正クリアランスを用意する。
【００６７】
その再挿入の際に、コネクタ本体５２に再挿入されたカードＣが奥に至ってその前端部がスライダ６３の係合部６５に当接すると（図１５）、以降、スライダ６３がカードＣと一体的にカード挿入方向Ｘに移動する。すると、この移動の前には図１６に示すように放熱板５１のカムフォロア６９がスライダ６３のカム山６８に乗り上がった状態となって上昇されていた放熱板５１が、スライダ６３のカード挿入方向Ｘへの移動によって図１７に示す如くカムフォロア６９がカム山６８から滑り降り、放熱板５１が下降してカードＣに圧接される。よって、カードＣの熱が効率よく放熱板５１に伝達・放出される。
【００６８】
図１４に示すように、スライダ６３に設けられた係合部６５とエジェクトバー５３との間には、リンク機構６６が介設されている。リンク機構６６は、スライダ６３がカード挿入方向Ｘに移動されたときエジェクトバー５３をカード排出方向Ｙに移動させてセット位置（図１７）とし、そのセット位置のエジェクトバー５３がカード挿入方向Ｘに押し込まれてエジェクト位置（図１６）に移動されたときスライダ６３をカード排出方向Ｙに押し出し、且つエジェクト位置にあるエジェクトバー５３がセット位置の方向に引っ張られたような場合に、スライダ６３と係合部６５の係合を解いてスライダ６３を移動させないようにするものである。
【００６９】
すなわち、リンク機構６６は、図１４及び図１５に示すように、スライダ６３の係合部６５にカード挿入方向Ｘの前方側から当接する当接部７１を有し、エジェクトバー５３がセット位置（図１７）からカード挿入方向Ｘに押し込まれてエジェクト位置（図１６）に移動されたとき当接部７１がスライダ６３の係合部６５をカード排出方向Ｙに押し戻し、またエジェクト位置（図１６）のエジェクトバー５３がセット位置（図１７）の方向に引っ張られたような場合は、当接部７１がスライダ６３の係合部６５から離間するようになっている。
【００７０】
具体的には、リンク機構６６は、図１４に示すように、コネクタ本体５２の端子ブロック５５の上面部に、カード挿入・排出方向Ｘ、Ｙにスライド可能に装着された摺動部材７２（金属製）と、端子ブロック５５の上面部に、枢支軸７３の廻りに回動可能に取り付けられたリンクレバー７４（金属製）とから成る。摺動部材７２には、図１５にも示すように、スライダ６３の係合部６５にカード挿入方向Ｘの前方側から当接する当接部７１が設けられている。図１４に戻って、リンクレバー７４は、その一端部が、エジェクトバー５３の先端部に形成された係合穴７５に遊嵌・挿通され、他端部に形成された長穴７６が摺動部材７２に設けた突起部７７に差し込まれ、それぞれ所定の遊びをもって連結されると共に、その略中央部が端子ブロック５５の枢支軸７３に枢支されている。
【００７１】
かかるリンク機構６６によれば、図１３に示すように、コネクタ本体５２にカードＣを挿入して奥に押し込んでいった際、図１５に示すように、カードＣの先端部の接触子Ｃ３（穴）がコネクタ本体５２の端子部７８（ピン）に挿入されるとき、カードＣの前端部がスライダ６３の係合部６５に当接し、以降、接触子Ｃ３が端子部７８に没入されるに応じて係合部６５がカード挿入方向Ｘに押圧移動される。すると、係合部６５に当接する摺動部材７２の当接部７１が同方向に押圧移動され、図１４に示すリンクレバー７４が反時計回りに回動され、エジェクトバー５３がカード排出方向Ｙにスライドされる。そして、接触子Ｃ３が端子部７８に完全に没入・接続されたとき、エジェクトバー５３がセット位置（図１７）に移動される。
【００７２】
カードＣの先端部がスライダ６３の係合部６５に当接した以降、カードＣの押し込みに伴ってスライダ６３がカード挿入方向Ｘに移動されることになるが、このスライダ６３の移動に伴って、スライダ６３に設けたカム山６８が図１６の位置から図１７の位置に移動するので、放熱板５１のカムフォロア６９がカム山６８の斜面部６８ａを滑り降り、放熱板５１が下降して、カードＣに圧接される。よって、カードＣの熱が放熱板５１から放出される。
【００７３】
その後、カードＣが奥まで挿入されることで図１７に示すようにセット位置に突出されたエジェクトバー５３をカード挿入方向Ｘに押し込んで図１６に示すエジェクト位置まで移動させると、図１４に示すリンクレバー７４が時計回り回動し、摺動部材７２がカード排出方向Ｙに移動される。これにより、摺動部材７２に設けられた当接部７１がスライダ６３の係合部６５をカード排出方向Ｙに押圧してスライダ６３がカード排出方向Ｙに移動される。すると、スライダ６３に設けたカム山６８が図１７の位置から図１６の位置に移動するので、放熱板５１のカムフォロア６９がカム山６８の斜面部６８ａに当接されて押し上げられ、放熱板５１が上昇して、カードＣから離間される。よって、カードＣの排出のためのクリアランスが用意される。
【００７４】
カード排出後、図１６に示すエジェクト位置まで押し込まれたエジェクトバー５３を前方（図１７に示すセット位置の方向）に引っ張ったような場合、図１４に示すリンクレバー７４が反時計回りに回動し、摺動部材７２がカード挿入方向Ｘに移動し、摺動部材７２の当接部７１がスライダ６３の係合部６５から離間する。このように、カード排出後にエジェクトバー５３を引っ張り操作してもスライダ６３が移動しないため、スライダ６３の移動によって作動される圧接離間機構６４が作動されず、放熱板５１が上がったままの状態となっている。
【００７５】
このように、カードＣが挿入されていないときにエジェクトバー５３が操作されても、放熱板５１が上がったままなので、爾後、コネクタ本体５２にカードＣを挿入する際に、放熱板５１が降下していてカードＣの端子部Ｃ３を損傷させたり、放熱板５１の伝熱シートを剥離するようなことが生じない。
【００７６】
本発明は上記実施形態には限定されない。
【００７７】
図１３〜図１７に示す実施形態では、スライダ６３にカム山６８を設け放熱板５１にカムフォロア６９を設けた構成としたが、逆にスライダ６３にカムフォロアを設け放熱板５１にカム山を設けてもよい。
【００７８】
また、カードＣの接触子Ｃ３を穴状としコネクタ本体５２の端子部７８をピン状としたものを示したが、これらの関係を逆にしてもよく、また、カードＣの接触子をカードＣの先端側の上面又は下面に設け、これに対応させてコネクタの端子部を設けてもよい。
【図面の簡単な説明】
【００７９】
【図１】本発明の第１の実施形態に係る放熱板付きカードコネクタの斜視図である。
【図２】図１から放熱板を撤去して内部を可視的に示した斜視図である。
【図３】上記カードコネクタの側面図である（右側面）。
【図４】図２のIV−IV線断面図である。
【図５】上記カードコネクタから放熱板を撤去したものの平面図である（エジェクトバーがエジェクト位置）。
【図６】上記カードコネクタから放熱板を撤去したものの平面図である（エジェクトバーがセット位置）。
【図７】図３のVII−VII線断面図である（カード下降時）。
【図８】図３のVII−VII線断面図である（カード上昇時）。
【図９】図３のIX−IX線断面図である（カード下降時）。
【図１０】図３の部分拡大図である（カード下降時）。
【図１１】図３の部分拡大図である（カード上昇時）。
【図１２】図３の部分拡大図である（カード下降中）。
【図１３】本発明の第２の実施形態に係る放熱板付きカードコネクタの斜視図である。
【図１４】図１３から放熱板を撤去して内部を可視的に示した斜視図である。
【図１５】図１４のXV−XV線断面図である。
【図１６】上記カードコネクタカードエジェクト時（放熱板が上昇している状態）の側面図である。
【図１７】上記カードコネクタカードセット時（放熱板が下降している状態）の側面図である。
【符号の説明】
【００８０】
１  カードコネクタ
２  端子部
３  コネクタ本体
４  放熱板
５  エジェクトバー
６  連動手段
１２  スライダ
１３  係合部
１４  リンク機構
２７  当接部
３７  圧接離間機構
５０  カードコネクタ（第２実施例）
５１  放熱板        （第２実施例）
５２  コネクタ本体  （第２実施例）
５３  エジェクトバー（第２実施例）
５４  連動手段      （第２実施例）
６３  スライダ      （第２実施例）
６４  圧接離間機構  （第２実施例）
６５  係合部        （第２実施例）
６６  リンク機構    （第２実施例）
７１  当接部        （第２実施例）
７８  端子部        （第２実施例）
Ｃ  カード
Ｃ１  接触子
Ｃ２  一側面
Ｘ  カード挿入方向
Ｙ  カード排出方向
【図１】
2007080580.tif 000003
【図２】
2007080580.tif 000004
【図３】
2007080580.tif 000005
【図４】
2007080580.tif 000006
【図５】
2007080580.tif 000007
【図６】
2007080580.tif 000008
【図７】
2007080580.tif 000009
【図８】
2007080580.tif 000010
【図９】
2007080580.tif 000011
【図１０】
2007080580.tif 000012
【図１１】
2007080580.tif 000013
【図１２】
2007080580.tif 000014
【図１３】
2007080580.tif 000015
【図１４】
2007080580.tif 000016
【図１５】
2007080580.tif 000017
【図１６】
2007080580.tif 000018
【図１７】
2007080580.tif 000019